(57)【要約】【課題】簡素な構成によって無駄な電力消費を低減し、電池の寿命を延ばすことが可能となるＢｌｕｅｔｏｏｔｈ端末機器を提供する。【解決手段】Ｂｌｕｅｔｏｏｔｈマスター機器２０との間でデータ送受信可能なＢｌｕｅｔｏｏｔｈモジュール１と、Ｂｌｕｅｔｏｏｔｈモジュールの送信データを入力する入力装置２と、Ｂｌｕｅｔｏｏｔｈモジュールの受信データに基づいて出力動作する出力装置３と、入力装置２及び出力装置３の駆動回路Ｋと、作動用電力を供給する電池６を備え、Ｂｌｕｅｔｏｏｔｈモジュール１の消費電流検出回路８と、その電流検出情報に基づいて、Ｂｌｕｅｔｏｏｔｈモジュールがパワーセーブ状態であるときに、電池６から駆動回路Ｋへの電力供給をオフし、Ｂｌｕｅｔｏｏｔｈモジュール１がパワーセーブ状態でないときに、電池６から駆動回路Ｋへの電力供給をオンする電力供給切換回路９を設けた。【選択図】　　　　図１
2004147012.tif 000002
【特許請求の範囲】
【請求項１】
Ｂｌｕｅｔｏｏｔｈマスター機器との間でデータ送受信可能なＢｌｕｅｔｏｏｔｈモジュールと、
前記Ｂｌｕｅｔｏｏｔｈモジュールの送信データを入力するための入力装置もしくは前記Ｂｌｕｅｔｏｏｔｈモジュールの受信データに基づいて出力動作する出力装置のうちの少なくとも一方と、
前記入力装置及び前記出力装置を駆動する駆動回路と、
前記Ｂｌｕｅｔｏｏｔｈモジュール及び前記駆動回路に作動用電力を供給する電池を備えたＢｌｕｅｔｏｏｔｈ端末機器であって、
前記Ｂｌｕｅｔｏｏｔｈモジュールの消費電流を検出する電流検出回路と、
前記電流検出回路の検出情報に基づいて、前記Ｂｌｕｅｔｏｏｔｈモジュールがパワーセーブ状態であるときに、前記電池から前記駆動回路への電力供給をオフし、前記Ｂｌｕｅｔｏｏｔｈモジュールがパワーセーブ状態でないときに、前記電池から前記駆動回路への電力供給をオンする電力供給切換回路が設けられたＢｌｕｅｔｏｏｔｈ端末機器。
【請求項２】
前記入力装置が音声入力用のマイクであり、前記出力装置が音声出力用のスピーカである請求項１記載のＢｌｕｅｔｏｏｔｈ端末機器。
【請求項３】
前記電流検出回路が、前記電池から前記Ｂｌｕｅｔｏｏｔｈモジュールへの電流供給路に挿入した抵抗の両端電圧に基づいて、前記Ｂｌｕｅｔｏｏｔｈモジュールの消費電流を検出する請求項１又は２記載のＢｌｕｅｔｏｏｔｈ端末機器。
【発明の詳細な説明】
【０００１】
【発明の属する技術分野】
本発明は、Ｂｌｕｅｔｏｏｔｈ技術を用いて、Ｂｌｕｅｔｏｏｔｈマスター機器との間で各種のデータを送受信するＢｌｕｅｔｏｏｔｈ端末機器に関し、具体的には、Ｂｌｕｅｔｏｏｔｈマスター機器との間でデータ送受信可能なＢｌｕｅｔｏｏｔｈモジュールと、前記Ｂｌｕｅｔｏｏｔｈモジュールの送信データを入力するための入力装置もしくは前記Ｂｌｕｅｔｏｏｔｈモジュールの受信データに基づいて出力動作する出力装置のうちの少なくとも一方と、前記入力装置及び前記出力装置を駆動する駆動回路と、前記Ｂｌｕｅｔｏｏｔｈモジュール及び前記駆動回路に作動用電力を供給する電池を備えたＢｌｕｅｔｏｏｔｈ端末機器に関する。
【０００２】
【従来の技術】
上記Ｂｌｕｅｔｏｏｔｈ端末機器は、従来、図３に示すように、電源スイッチ７がオン操作されると、Ｂｌｕｅｔｏｏｔｈモジュール１と、入力装置の一例である音声入力用のマイク２や出力装置の一例である音声出力用のスピーカ３の信号を増幅するスピーカ・マイクアンプ４、エコーキャンセラ５等の駆動回路に対して、電池６から電力が常時供給される構成となっていた。なお、Ｂｌｕｅｔｏｏｔｈモジュール１は、Ｂｌｕｅｔｏｏｔｈマスター機器２０との間で通信リンクを形成して通信する通常作動状態では３０ｍＡ程度の電流を消費するが、Ｂｌｕｅｔｏｏｔｈマスター機器２０との間で通信していないときはパワーセーブ状態に移行し、そのパワーセーブ状態（例えばパークモード）での消費電流は数μＡオーダーに低下する。
【０００３】
上記Ｂｌｕｅｔｏｏｔｈマスター機器２０の例としては、携帯電話機と別体に形成し電話機に接続して使用するアダプタ型や、携帯電話機にＢｌｕｅｔｏｏｔｈモジュールを内蔵した一体型などがあり、また、Ｂｌｕｅｔｏｏｔｈ端末機器の例としては、ハンズフリータイプのワイヤレスヘッドセットがある（例えば、特許文献１参照）。
【０００４】
【特許文献１】
特開２００２−１２５２６８号公報（第２−６頁、図１〜図６）
【０００５】
【発明が解決しようとする課題】
しかしながら、上記従来技術では、Ｂｌｕｅｔｏｏｔｈ端末機器がＢｌｕｅｔｏｏｔｈマスター機器との間で通信していない待機時に、Ｂｌｕｅｔｏｏｔｈモジュールがパワーセーブ状態に移行して電力消費を低減するとしても、音声入出力用のアンプ等の駆動回路に電池から電源が常時供給されて比較的大きな電流（例えば、５０ｍＡ程度）が流れて電力が無駄に消費され、その結果、電池の消耗が速くなる不利があった。例えば、１５０ｍＡｈの電池を使用した場合、待機時に５０ｍＡの電流が消費されるとすれば、約３時間程度の寿命しかない。
本発明は、上記実情に鑑みてなされたものであり、その目的は、簡素な構成によって無駄な電力消費を低減し、電池の寿命を延ばすことが可能となるＢｌｕｅｔｏｏｔｈ端末機器を提供することにある。
【０００６】
【課題を解決するための手段】
上記目的を達成するための本発明に係るＢｌｕｅｔｏｏｔｈ端末機器の第一の特徴構成は、請求項１に記載した如く、前記Ｂｌｕｅｔｏｏｔｈモジュールの消費電流を検出する電流検出回路と、前記電流検出回路の検出情報に基づいて、前記Ｂｌｕｅｔｏｏｔｈモジュールがパワーセーブ状態であるときに、前記電池から前記駆動回路への電力供給をオフし、前記Ｂｌｕｅｔｏｏｔｈモジュールがパワーセーブ状態でないときに、前記電池から前記駆動回路への電力供給をオンする電力供給切換回路が設けられた点にある。
【０００７】
同第二の特徴構成は、請求項２に記載した如く、上記第一の特徴構成に加えて、前記入力装置が音声入力用のマイクであり、前記出力装置が音声出力用のスピーカである点にある。
【０００８】
同第三の特徴構成は、請求項３に記載した如く、上記第一又は第二の特徴構成に加えて、前記電流検出回路が、前記電池から前記Ｂｌｕｅｔｏｏｔｈモジュールへの電流供給路に挿入した抵抗の両端電圧に基づいて、前記Ｂｌｕｅｔｏｏｔｈモジュールの消費電流を検出する点にある。
【０００９】
以下に作用並びに効果を説明する。
本発明に係るＢｌｕｅｔｏｏｔｈ端末機器の第一の特徴構成によれば、電流検出回路が、Ｂｌｕｅｔｏｏｔｈマスター機器との間でデータ送受信可能なＢｌｕｅｔｏｏｔｈモジュールの消費電流を検出し、その電流検出回路の検出情報に基づいて、Ｂｌｕｅｔｏｏｔｈモジュールがパワーセーブ状態であるときは、電力供給切換回路が、作動用の電力を供給する電池から入力装置及び出力装置を駆動する駆動回路への電力供給をオフし、Ｂｌｕｅｔｏｏｔｈモジュールがパワーセーブ状態でないときは、電力供給切換回路が、電池から駆動回路への電力供給をオンする。
【００１０】
すなわち、Ｂｌｕｅｔｏｏｔｈモジュールの通常作動状態での消費電流（例えば、３０ｍＡ程度）とパワーセーブ状態での消費電流（例えば、数μＡオーダー）の間に所定の電流値を設定し、Ｂｌｕｅｔｏｏｔｈモジュールの検出された消費電流がその所定値よりも多いか少ないかによって、ＢｌｕｅｔｏｏｔｈモジュールがＢｌｕｅｔｏｏｔｈマスター機器との間で通信している通常作動状態か、あるいは通信していないパワーセーブ状態かが判断でき、パワーセーブ状態であれば入出力装置用の駆動回路に電源を供給して作動させる必要がないので、駆動回路への電源供給をオフする。
その結果、例えば、１５０ｍＡｈの電池を使用した場合、Ｂｌｕｅｔｏｏｔｈモジュールがパワーセーブ状態である待機時には、Ｂｌｕｅｔｏｏｔｈモジュールの数μＡオーダーの電流が消費されるだけであるから、電池の寿命が約１５０時間程度に延びることになる。
【００１１】
ところで、Ｂｌｕｅｔｏｏｔｈモジュールでパワー制御を行う場合、Ｂｌｕｅｔｏｏｔｈチップ内のＣＰＵの入力ポートに外部から制御信号を入力して、パワーセーブモードや通常モードへの移行を制御することが可能であるが、この場合には、具体的な動作仕様を設計してＢｌｕｅｔｏｏｔｈチップ制御用のソフトウエアを開発する必要があるため、ソフトウエアの開発費用がかさむとともに、制御構成が複雑になる不利がある。これに対して、本発明においては、Ｂｌｕｅｔｏｏｔｈチップ内のＣＰＵの動作を制御するのではなく、言い換えると、Ｂｌｕｅｔｏｏｔｈモジュールの機能変更を行わず、本来Ｂｌｕｅｔｏｏｔｈ　Ｐｒｏｆｉｌｅに規定されているパワーセーブ機能が働くＢｌｕｅｔｏｏｔｈモジュールの消費電流を外部から検出して、周辺の駆動回路のパワー制御を行うものであるから、制御構成が簡素になる。
従って、簡素な構成によって無駄な電力消費を低減し、電池の寿命を延ばすことが可能となるＢｌｕｅｔｏｏｔｈ端末機器が提供される。
【００１２】
同第二の特徴構成によれば、音声入力用のマイクによって、Ｂｌｕｅｔｏｏｔｈモジュールの送信データとして音声データが入力され、Ｂｌｕｅｔｏｏｔｈモジュールの受信データである音声データに基づいて、音声出力用のスピーカが音声を出力する。
すなわち、上記マイクやスピーカは入出力装置として通常よく使われ、また、その駆動回路は、信号増幅用のアンプ回路等を含み消費電流が多いので、Ｂｌｕｅｔｏｏｔｈモジュールのパワーセーブ状態にあわせて、上記マイクやスピーカの駆動回路への電源供給をオフするときの電力低減効果が大きい。
従って、大きな電力低減効果が得られるＢｌｕｅｔｏｏｔｈ端末機器の好適な実施形態が提供される。
【００１３】
同第三の特徴構成によれば、前記電流検出回路が、電池からＢｌｕｅｔｏｏｔｈモジュールへの電流供給路に挿入した抵抗の両端電圧に基づいて、Ｂｌｕｅｔｏｏｔｈモジュールの消費電流を検出する。
すなわち、Ｂｌｕｅｔｏｏｔｈモジュールの消費電流が増加すれば、Ｂｌｕｅｔｏｏｔｈモジュールへの供給電流が増加して電流供給路に挿入した抵抗の両端電圧は大きくなり、反対に、Ｂｌｕｅｔｏｏｔｈモジュールの消費電流が減少すれば、Ｂｌｕｅｔｏｏｔｈモジュールへの供給電流が減少して上記抵抗の両端電圧は小さくなるので、Ｂｌｕｅｔｏｏｔｈモジュールの電流供給路に挿入した抵抗とその両端電圧を測る回路からなる簡素な回路構成によって、Ｂｌｕｅｔｏｏｔｈモジュールの消費電流を検出することができる。
従って、簡素な構成の電流検出回路を用いたＢｌｕｅｔｏｏｔｈ端末機器の好適な実施形態が提供される。
【００１４】
【発明の実施の形態】
本発明に係るＢｌｕｅｔｏｏｔｈ端末機器の実施形態について、図面に基づいて説明する。
上記Ｂｌｕｅｔｏｏｔｈ端末機器１０は、図１に示すように、Ｂｌｕｅｔｏｏｔｈマスター機器２０との間でデータ送受信可能なＢｌｕｅｔｏｏｔｈモジュール１と、Ｂｌｕｅｔｏｏｔｈモジュール１の送信データを入力するための入力装置としての音声入力用のマイク２及び前記Ｂｌｕｅｔｏｏｔｈモジュール１の受信データに基づいて出力動作する出力装置としての音声出力用のスピーカ３と、上記マイク２及びスピーカ３を駆動する駆動回路Ｋとしてのスピーカ・マイクアンプ４及びエコーキャンセラ５と、前記Ｂｌｕｅｔｏｏｔｈモジュール１及び駆動回路Ｋ（スピーカ・マイクアンプ４及びエコーキャンセラ５）に作動用電力を供給する電池（バッテリー）６と、電源入り切りのメインスイッチ７などを備えている。尚、図示はしないが、Ｂｌｕｅｔｏｏｔｈモジュール１には、アナログの音声信号をデジタルの音声信号に又その逆に変換するインターフェースであるＣＯＤＥＣ部が設けられている。
【００１５】
さらに、上記Ｂｌｕｅｔｏｏｔｈ端末機器１０には、前記Ｂｌｕｅｔｏｏｔｈモジュール１の消費電流を検出する電流検出回路８と、電流検出回路８の検出情報に基づいて、前記Ｂｌｕｅｔｏｏｔｈモジュール１がパワーセーブ状態であるときに、前記電池６から前記駆動回路Ｋへの電力供給をオフし、前記Ｂｌｕｅｔｏｏｔｈモジュール１がパワーセーブ状態でないときに、前記電池６から前記駆動回路Ｋへの電力供給をオンする電力供給切換回路９が設けられている。
【００１６】
上記電流検出回路９は、図２に示すように、前記電池６から前記Ｂｌｕｅｔｏｏｔｈモジュール１への電流供給路１１に挿入した抵抗Ｒ１の両端電圧に基づいて、前記Ｂｌｕｅｔｏｏｔｈモジュール１の消費電流を検出するように構成している。なお、前記電力供給切換回路９は、電池６からの電流の通過をオンオフするリレー等によって構成される。
【００１７】
図２の回路について説明すれば、Ｂｌｕｅｔｏｏｔｈモジュール１のグランド端子をオペアンプＡ１の＋端子に接続するとともに、電流検知用抵抗Ｒ１を通して接地する。オペアンプＡ１，Ａ２，Ａ３でハイインピーダンス入力の差動アンプを構成し、電流検知用抵抗Ｒ１の両端電圧を高精度に増幅する。Ａ４は、可変抵抗ＶＲ１で決められる閾値電圧Ｖｃと上記差動アンプの出力Ｖｏｕｔを比較し、Ｖｏｕｔ＞Ｖｃ（即ち、Ｂｌｕｅｔｏｏｔｈモジュール１が通常作動状態）のときＬｏｗ信号を出力し、Ｖｏｕｔ＜Ｖｃ（即ち、Ｂｌｕｅｔｏｏｔｈモジュール１がパワーセーブ状態）のときＨｉｇｈ信号を出力するコンパレータ回路である。尚、図中、Ｒ２〜Ｒ８は抵抗である。そして、このコンパレータ回路Ａ４の出力信号により、Ｌｏｗ信号出力のときは、前記電力供給切換回路９を電力供給状態に作動させ、Ｈｉｇｈ信号出力のときは、前記電力供給切換回路９を電力供給遮断状態に作動させる。
【００１８】
〔別実施形態〕
上記実施形態では、入力装置２を音声入力用のマイクで構成し、出力装置３を音声出力用のスピーカで構成したが、これ以外に、例えば、入力装置を画像入力用のビデオカメラで構成し、出力装置を画像出力用のテレビモニター等で構成してもよい。尚、入力装置や出力装置の違いに伴って、駆動回路Ｋの具体的な回路構成や消費電流が異なってくる。
【００１９】
上記実施形態では、Ｂｌｕｅｔｏｏｔｈ端末機器に、入力装置２と出力装置３の両方を備えたが、入力装置２と出力装置３のうちの少なくとも一方を備えるように構成してもよい。
【００２０】
また、電流検出回路９は図２に示す回路に限られず、種々の回路で実現することが可能である。
【図面の簡単な説明】
【図１】本発明に係るＢｌｕｅｔｏｏｔｈ端末機器のブロック構成図
【図２】本発明に係る電流検出回路の回路図
【図３】従来のＢｌｕｅｔｏｏｔｈ端末機器のブロック構成図
【符号の説明】
１　　　Ｂｌｕｅｔｏｏｔｈモジュール
２　　　入力装置（マイク）
３　　　出力装置（スピーカ）
６　　　電池
８　　　電流検出回路
９　　　電力供給切換回路
１０　　Ｂｌｕｅｔｏｏｔｈ端末機器
２０　　Ｂｌｕｅｔｏｏｔｈマスター機器
Ｋ　　　駆動回路
Ｒ１　　抵抗
【図１】
2004147012.tif 000003
【図２】
2004147012.tif 000004
【図３】
2004147012.tif 000005